(57)【要約】【課題】物品の取出性を高めつつ、物品の脱落を抑制する。【解決手段】パッケージ１は、長さ方向の一側に配置された開口２ａが閉鎖された閉状態と、開口２ａが開放された開状態とに切替可能であり、閉状態で直方体をなす。パッケージ１は、開口２ａをもつ容器状の本体部２と、本体部２に対して回動自在に設けられ、開口２ａを閉鎖又は開放する蓋部３と、本体部２と蓋部３との間に設けられ、本体部２に対して蓋部３を回動自在に連結し、幅方向に対して傾斜して延びる罫線５とを備えている。【選択図】図１
2019156418.tif 000002
【特許請求の範囲】
【請求項１】
長さ方向の一側に配置された開口が閉鎖された閉状態と前記開口が開放された開状態とに切替可能であり、前記閉状態で直方体をなすパッケージであって、
前記開口をもつ容器状の本体部と、
前記本体部に対して回動自在に設けられ、前記開口を閉鎖又は開放する蓋部と、
前記本体部と前記蓋部との間に設けられ、前記本体部に対して前記蓋部を回動自在に連結し、幅方向に対して傾斜して延びる罫線と、を備えた
ことを特徴するパッケージ。
【請求項２】
前記罫線が、前記直方体の天面における四つの角部のうちの一つから延設され、
前記蓋部が、前記天面の一部をなすとともに前記罫線を斜辺とする直角三角形状の天蓋部と、前記直方体において前記天面と垂直な側面の一部をなすとともに前記天蓋部と連接された側蓋部とを有する
ことを特徴とする、請求項１に記載のパッケージ。
【請求項３】
前記蓋部が、前記天蓋部よりも小さい直角三角形状であって、前記直方体において前記天面と平行な底面の一部をなすとともに、前記底面における四つの角部のうち、前記天蓋部の直角の角部と対向する角部を含んで前記側蓋部と連接された底蓋部を有する
ことを特徴とする、請求項２に記載のパッケージ。
【請求項４】
前記本体部が、前記底面のうちの前記底蓋部以外をなす底部と、前記底部から延長されたラップ部とを有し、
前記底蓋部が、前記閉状態で前記ラップ部の外側に重なって配置される
ことを特徴とする、請求項３に記載のパッケージ。
【請求項５】
前記本体部が、前記側面に沿って立設されて前記閉状態で前記側蓋部と重なるとともに前記開状態で前記開口の一部を閉鎖する壁部を有する
ことを特徴とする、請求項２〜４の何れか１項に記載のパッケージ。
【請求項６】
前記側面を構成する四つの平面には、その全体が前記側蓋部で構成される全開面と、その一部が前記側蓋部で構成される半開面とが含まれ、
前記壁部が、前記半開面に沿って立設されている
ことを特徴とする、請求項５に記載のパッケージ。
【請求項７】
前記壁部は、前記天面側の端辺が前記底面側の端辺よりも短く形成されている
ことを特徴とする、請求項５又は６に記載のパッケージ。
【請求項８】
請求項１〜７の何れか１項に記載のパッケージに組立可能なシート材であって、
前記本体部となる本体片と、
前記蓋部となる蓋片と、を備え、
前記本体片と前記蓋片とが、傾斜した前記罫線を介して連接されている
ことを特徴とするシート材。
【発明の詳細な説明】
【技術分野】
【０００１】
本発明は、チョコレートやビスケットといった物品のパッケージ及びこのパッケージに組立可能なシート材に関する。
【背景技術】
【０００２】
従来、容器状の本体部と、この本体部に対して回動自在な蓋部とを備えたパッケージ（いわゆるヒンジリッド型の箱）が知られている。例えば特許文献１には、紙箱容器において、蓋部（蓋板）の回動軸となる直線状のヒンジ折目を底板に設けた構造が記載されている。この構造では、ヒンジ折目が紙箱容器の幅方向に沿って設けられており、底板がヒンジ折目で折り曲げられた場合に、紙箱容器の長さ方向の一側に開口が形成されるようになっている。
【先行技術文献】
【特許文献】
【０００３】
【特許文献１】特開２００３−１７０９２９号公報
【発明の概要】
【発明が解決しようとする課題】
【０００４】
しかしながら、前述した紙箱容器のように、蓋部が幅方向に延びる軸まわりに回動することで長さ方向の一側に開口が形成される構造では、開口の大きさが確保されにくいため、内部の物品を取り出すことが難しい。よって、前述した構造は、物品の取出性を確保するうえで改善の余地がある。一方で、蓋部の回動により形成される開口を、パッケージの幅方向における両側の側面まで広げた構造とすれば、幅方向の外側から物品を取り出しやすくなる。しかし、この場合、物品がパッケージの幅方向の両側から脱落しやすくなるという課題が生じる。したがって、物品の取出性を向上させつつ、物品の脱落を抑制できる構造の開発が望まれている。
【０００５】
本件のパッケージ及びシート材は、前述したような課題に鑑みて創案されたものであり、物品の取出性を高めつつ、物品の脱落を抑制することを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００６】
（１）ここで開示するパッケージは、長さ方向の一側に配置された開口が閉鎖された閉状態と前記開口が開放された開状態とに切替可能であり、前記閉状態で直方体をなす。本パッケージは、前記開口をもつ容器状の本体部と、前記本体部に対して回動自在に設けられ、前記開口を閉鎖又は開放する蓋部と、前記本体部と前記蓋部との間に設けられ、前記本体部に対して前記蓋部を回動自在に連結し、幅方向に対して傾斜して延びる罫線と、を備えている。なお、前記長さ方向と前記幅方向とは、互いに直交する。
【０００７】
（２）前記罫線が、前記直方体の天面における四つの角部のうちの一つから延設され、前記蓋部が、前記天面の一部をなすとともに前記罫線を斜辺とする直角三角形状の天蓋部と、前記直方体において前記天面と垂直な側面の一部をなすとともに前記天蓋部と連接された側蓋部とを有することが好ましい。
【０００８】
（３）前記蓋部が、前記天蓋部よりも小さい直角三角形状である底蓋部を有することが好ましい。前記底蓋部は、前記直方体において前記天面と平行な底面の一部をなすとともに、前記底面における四つの角部のうち、前記天蓋部の直角の角部と対向する角部を含んで前記側蓋部と連接されていることが好ましい。
【０００９】
（４）前記本体部が、前記底面のうちの前記底蓋部以外をなす底部と、前記底部から延長されたラップ部とを有し、前記底蓋部が、前記閉状態で前記ラップ部の外側に重なって配置されることが好ましい。
（５）前記本体部が、前記側面に沿って立設されて前記閉状態で前記側蓋部と重なるとともに前記開状態で前記開口の一部を閉鎖する壁部を有することが好ましい。
（６）前記側面を構成する四つの平面には、その全体が前記側蓋部で構成される全開面と、その一部が前記側蓋部で構成される半開面とが含まれ、前記壁部が、前記半開面に沿って立設されていることが好ましい。
【００１０】
（７）前記壁部は、前記天面側の端辺が前記底面側の端辺よりも短く形成されていることが好ましい。
（８）ここで開示するシート材は、前記パッケージに組立可能である。本シート材は、前記本体部となる本体片と、前記蓋部となる蓋片と、を備え、前記本体片と前記蓋片とが、傾斜した前記罫線を介して連接されている。
【発明の効果】
【００１１】
開示のパッケージ及びシート材によれば、物品の取出性を高めつつ、物品の脱落を抑制することができる。
【図面の簡単な説明】
【００１２】
【図１】一実施形態に係るパッケージが開状態である場合を示す斜視図である。
【図２】図１のパッケージが閉状態である場合を示す斜視図である。
【図３】図１のパッケージが閉状態である場合を示す下面図（底面側から見た図）である。
【図４】図１のパッケージに組立可能なシート材の平面図（図１のパッケージの展開図）である。
【発明を実施するための形態】
【００１３】
以下、図面を参照して、実施形態としてのパッケージ及びシート材について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１４】
［１．構成］
［１−１．パッケージ］
図１に示すように、本実施形態に係るパッケージ１は、開口２ａをもつ容器状の本体部２と、本体部２に対して回動自在に設けられた蓋部３とを備えた、いわゆるヒンジリッド型の角箱である。本体部２は、複数の小粒のチョコレートやビスケットといった物品を収容する。本体部２に収容された物品は、開口２ａを通じて外部に取り出される。
【００１５】
蓋部３は、本体部２に対して回動することで開口２ａを閉鎖又は開放する。以下、開口２ａが蓋部３で閉鎖された状態を「閉状態」といい、開口２ａが外部に開放された状態を「開状態」という。また、パッケージ１において物品が収容される空間に向かう側を「内側」とし、この反対側を「外側」とする。パッケージ１は、本体部２に対する蓋部３の位置（回動状態）に応じて開状態と閉状態とに切替可能である。
【００１６】
本実施形態では、物品がフィルム４に覆われた状態で本体部２に収容されている場合を例示する。物品は、フィルム４が開封された後に外部へ取り出される。フィルム４には、フィルム４を開封しやすくするためのＶ字状の切れ込み４ａが形成されている。本実施形態の切れ込み４ａは、パッケージ１が開状態である場合に、開口２ａから外部に露出する位置に設けられている。
【００１７】
図２に示すように、パッケージ１は閉状態で直方体をなす。この直方体における六つの長方形状の平面は、互いに平行に配置された天面１１及び底面１２と、天面１１及び底面１２の間に立設される側面１３とに大別される。本実施形態の天面１１及び底面１２は、幅方向に対して長さ方向に長い長方形である。なお、幅方向及び長さ方向は、天面１１及び底面１２の各延在面において互いに直交する。
【００１８】
以下、天面１１及び底面１２の幅方向及び長さ方向をそれぞれパッケージ１の幅方向及び長さ方向として説明する。前述した開口２ａは、パッケージ１の長さ方向の一側（図１及び図２中の右側）に配置される。また、ここでは底面１２に対して天面１１が配置された側を上側として上下方向を定める。
【００１９】
側面１３は、天面１１及び底面１２の各周縁の間で上下方向に（天面１１及び底面１２と垂直に）立設される。本実施形態の側面１３は、その上下方向の寸法が天面１１及び底面１２の幅方向及び長さ方向の各寸法よりも小さくされている。側面１３は、長さ方向に沿って配置された二つの長側面１３ａ，１３ｂと、幅方向に沿って配置された二つの短側面１３ｃ，１３ｄとに細別される。
【００２０】
まず、蓋部３について説明する。
蓋部３は、天面１１の一部をなす天蓋部３１と、底面１２の一部をなす底蓋部３２と、側面１３ａ〜１３ｄのうち、一方（図２中の手前側）の長側面１３ａの一部及び一方（図２中の右側）の短側面１３ｃをなす側蓋部３３とを有する。以下、側蓋部３３によって一部が構成される一方の長側面１３ａを「第一長側面（半開面）１３ａ」といい、他方の長側面１３ｂを「第二長側面１３ｂ」という。また、側蓋部３３によって全体が構成される一方の短側面１３ｃを「第一短側面（全開面）１３ｃ」といい、他方の短側面１３ｄを「第二短側面１３ｄ」という。
【００２１】
天蓋部３１は、天面１１の四つの角部のうち、第二長側面１３ｂと第一短側面１３ｃとの間に形成される角部１１ｃから斜設された罫線５を斜辺とする直角三角形状とされる。本実施形態の天蓋部３１は、その直角の角部３１ｃをなす二辺３１ａ，３１ｂのうち、幅方向に沿う一方の第一辺３１ａが、長さ方向に沿う他方の第二辺３１ｂよりも長くされている。なお、第一辺３１ａは第一短側面１３ｃの上辺（天面１１側の辺）であり、第二辺３１ｂは第一長側面１３ａの上辺の一部である。
【００２２】
側蓋部３３は、第一辺３１ａ及び第二辺３１ｂのそれぞれを介して天蓋部３１と連接される。側蓋部３３は、第一短側面１３ｃをなす第一側蓋部３３ａと、第一長側面１３ａの一部をなす第二側蓋部３３ｂとを有する。本実施形態の第一側蓋部３３ａ及び第二側蓋部３３ｂは、何れも平面視で長方形状である。
【００２３】
底蓋部３２は、底面１２の四つの角部のうち、天蓋部３１の直角の角部３１ｃと対向する角部３２ｃを含むとともに、天蓋部３１よりも小さい直角三角形状とされる。本実施形態では、底蓋部３２が略直角二等辺三角形状とされている場合を例示する。底蓋部３２は、その直角の角部３２ｃをなす二辺３２ａ，３２ｂのそれぞれを介して側蓋部３３と連接されている。
【００２４】
次に、本体部２について説明する。
本体部２は、天面１１，底面１２及び側面１３のうち、蓋部３で構成される部分以外の部分（残部）を構成する。本体部２は、天面１１の残部をなす天部２１と、側面１３の残部をなす側部２３と、底面１２の残部をなす底部２２とを有する。また、本実施形態の本体部２は、側部２３から延長された壁部２４と、底部２２から延長されたラップ部２５とを有する。
【００２５】
壁部２４は、第一長側面１３ａに沿って立設されている。壁部２４は、閉状態では第二側蓋部３３ｂと重なって配置される。一方、図１に示すように壁部２４は、開状態では開口２ａの一部を閉鎖する。本実施形態の壁部２４は、その上端辺（天面１１側の端辺）２４ａが下端辺（底面１２側の端辺）２４ｂよりも短く形成されている。また、壁部２４の端辺のうち、上端辺２４ａと下端辺２４ｂとを側部２３から離隔した位置で繋ぐ開口端辺２４ｃは、上端辺２４ａから下端辺２４ｂへ向けて直線状に延びている。
【００２６】
図３に示すように、ラップ部２５は、底面１２に沿って設けられる。本実施形態のラップ部２５は、底蓋部３２がなす直角二等辺三角形状の斜辺側の略半分に対応した形状とされている。ラップ部２５は、閉状態で底蓋部３２の内側に重なって配置される。言い換えると、底蓋部３２は、閉状態でラップ部２５の外側に重なって配置される。
【００２７】
図１及び図２に示すように、本体部２と蓋部３とは、罫線５を介して互いに連接され、罫線５を軸にして回動自在とされている。言い換えると、罫線５は、本体部２と蓋部３との間に設けられ、本体部２に対して蓋部３を回動自在に連結している。罫線５は、前述したように、パッケージ１の幅方向に対して傾斜して延びている。
【００２８】
図２に示すように、本実施形態の本体部２及び蓋部３は、パッケージ１が一度も開状態となっていない未開封状態（閉状態）では、三つの切離線１４〜１６を介しても互いに連接されている。より具体的には、未開封状態において、第一側蓋部３３ａが、第一切離線１４を介して側部２３に連接されているとともに第二切離線１５を介して底部２２にも連接され、第二側蓋部３３ｂが、第三切離線１６を介して側部２３に連接されている。
【００２９】
第一切離線１４は、第一短側面１３ｃと第二長側面１３ｂとの境界線上に設けられている。第二切離線１５は、第一短側面１３ｃと底面１２との境界線上に設けられている。第三切離線１６は、第一長側面１３ａの長さ方向の中間部よりもやや第一短側面１３ｃ側（図２中の右側）に設けられている。なお、これらの切離線１４〜１６は、具体的には、ミシン目状の切れ込みである（図４参照）。パッケージ１は、蓋部３が上方へ引っ張られた場合に、各切離線１４〜１６が切断されることで開封される。そして、パッケージ１は、罫線５を軸にして蓋部３が本体部２に対して回動することにより、閉状態から開状態に切り替わる。
【００３０】
［１−２．シート材］
図４は、前述したパッケージ１に組立可能なシート材１０の平面図である。シート材１０は、例えば、物品を支持しうる剛性を備えるとともに手で破れる程度の厚みをもつ紙材で形成される。シート材１０は、組み立てられた状態で、パッケージ１の本体部２となる本体片６と、パッケージ１の蓋部３となる蓋片７とを備えている。また、シート材１０は、前述した罫線５と、各切離線１４〜１６とを備えている。
【００３１】
本体片６は、シート材１０がパッケージ１に組み立てられた状態で、天部２１となる天片６１と、底部２２となる底片６２と、側部２３となる側片６３ａ〜６３ｅと、壁部２４となる壁片６４と、ラップ部２５となるラップ片６５とを有する。本実施形態の天片６１及び底片６２は、前述した第二長側面１３ｂとなる連結側片６３ａを介して互いに連接されている。また、天片６１は、罫線５を介して蓋片７と連接されている。
【００３２】
以下、天片６１，連結側片６３ａ及び底片６２が並ぶ方向のうち、底片６２に対して天片６１が位置する側を「右側」といい、この反対側を「左側」という。また、シート材１０の延在面においてこの左右方向と直交する方向のうち、天片６１に対して蓋片７が位置する側を「蓋側」といい、この反対側を「本体側」という。シート材１０において、罫線５は、左右方向に対して傾斜して延びている。
【００３３】
連結側片６３ａ以外の四つの側片６３ｂ〜６３ｅは、天片６１の右側に連接された外長側片６３ｂと、底片６２の左側に連接された内長側片６３ｃと、天片６１の本体側に連接された外短側片６３ｄと、底片６２の本体側に連接された内短側片６３ｅとで構成される。外長側片６３ｂは、シート材１０がパッケージ１に組み立てられた状態では、内長側片６３ｃの外側に貼合（接合）され、内長側片６３ｃと共に前述した第一長側面１３ａの残部となる。一方、外短側片６３ｄは、シート材１０がパッケージ１に組み立てられた状態では、内短側片６３ｅの外側に貼合され、内短側片６３ｅと共に前述した第二短側面１３ｄとなる。
【００３４】
壁片６４は、内長側片６３ｃから蓋側に突設され、底片６２と連接されている。ラップ片６５は、底片６２から蓋側かつ左側に突設されている。本実施形態の本体片６は、前述した各片に加えて、外長側片６３ｂの本体側に連接された第一折込片６６と、連結側片６３ａの本体側に連接された第二折込片６７とを有する。第一折込片６６は、前述した第二短側面１３ｄと第一長側面１３ａとを貼合して両者間の隙間を埋めるための部位である。同様に、第二折込片６７は、前述した第二短側面１３ｄと第二長側面１３ｂとを貼合して両者間の隙間を埋めるための部位である。これらの折込片６６，６７は、シート材１０がパッケージ１に組み立てられた状態では、内短側片６３ｅの内側に貼合される。なお、本体片６において、連接される片どうしの間には、罫線５と同様の罫線（溝）が加工される。
【００３５】
蓋片７は、シート材１０がパッケージ１に組み立てられた状態で、天蓋部３１となる天蓋片７１と、底蓋部３２となる底蓋片７２ａ，７２ｂと、側蓋部３３となる側蓋片７３ａ，７３ｂとを有する。側蓋片７３ａ，７３ｂは、より詳細には、シート材１０がパッケージ１に組み立てられた状態で、第一側蓋部３３ａとなる第一側蓋片７３ａと、第二側蓋部３３ｂとなる第二側蓋片７３ｂとで構成される。
【００３６】
天蓋片７１は、直角三角形状であって、罫線５を介して天片６１（本体片６）と連接されている。第一側蓋片７３ａは、天蓋片７１の蓋側に連接される。また、第二側蓋片７３ｂは、天蓋片７１の右側に連接される。本実施形態の第二側蓋片７３ｂは、前述した第三切離線１６を介して外長側片６３ｂとも連接されている。
【００３７】
底蓋片７２ａ，７２ｂは、より詳細には、第二側蓋片７３ｂの蓋側から右側に連接された外底蓋片７２ａと、第一側蓋片７３ａの右側から蓋側に連接された内底蓋片７２ｂと、で構成される。本実施形態では、外底蓋片７２ａ及び内底蓋片７２ｂのそれぞれが、底蓋部３２に対応する略直角二等辺三角形状とされている。外底蓋片７２ａは、シート材１０がパッケージ１に組み立てられた状態では、内底蓋片７２ｂの外側に貼合され、内底蓋片７２ｂと共に底蓋部３２となる。
【００３８】
本実施形態の蓋片７は前述した各片に加えて、底片６２の蓋側に連接された内側蓋片７４と、第二側蓋片７３ｂの蓋側に連接された第三折込片７５と、連結側片６３ａの蓋側に連接された第四折込片７６とを更に有する。内側蓋片７４は、未開封状態において、前述した底面１２と第一短側面１３ｃとを貼合して両者間の隙間を埋めるための部位である。内側蓋片７４は、シート材１０がパッケージ１に組み立てられた状態では、第一側蓋片７３ａの内側に貼合される。本実施形態の内側蓋片７４は、前述した第二切離線１５を介して底片６２と連接されている。
【００３９】
第三折込片７５は、前述した第一短側面１３ｃと第一長側面１３ａとを貼合して両者間の隙間を埋めるための部位である。第三折込片７５は、第一シート材１０がパッケージ１に組み立てられた状態では、第一側蓋片７３ａの内側に貼合される。一方、第四折込片７６は、未開封状態において、前述した第一短側面１３ｃと第二長側面１３ｂとを貼合して両者間の隙間を埋めるための部位である。第四折込片７６は、第一シート材１０がパッケージ１に組み立てられた状態では、内側蓋片７４の内側に貼合される。本実施形態の第四折込片７６は、前述した第一切離線１４を介して連結側片６３ａと連接されている。なお、蓋片７においても、連接される片どうしの間には、罫線５と同様の罫線（溝）が加工される。
【００４０】
［２．作用，効果］
（１）図１に示すように、パッケージ１では、本体部２に対して蓋部３を回動自在に連結する罫線５が幅方向に対して傾斜して延びている。このため、蓋部３が罫線５まわりに回動することで開放される開口２ａを、幅方向の一側から他側（図１中の奥側から手前側）へ向けて次第に大きくすることができる。よって、パッケージ１の使用者は、開口２ａにおける幅方向の他側（図１中の手前側，第一長側面１３ａ側）から容易に物品を取り出すことができる。特に、使用者は、図１に示すようにパッケージ１の幅方向の両側のうち、開口２ａが大きくなる側（第一長側面１３ａ側）を手前側に配置してパッケージ１を開封すれば、物品をより取り出しやすくすることができる。
【００４１】
また、パッケージ１によれば、罫線５が幅方向に対して傾斜して延びているため、幅方向の他側（図１中の手前側，第一長側面１３ａ側）では開口２ａの大きさを確保しつつも、この反対側（図１中の奥側，第二長側面１３ｂ側）では開口２ａを小さくすることができる。このため、開状態であっても、幅方向の一側（図１中の奥側，第二長側面１３ｂ側）からの物品の脱落は抑制することができる。以上のことから、パッケージ１によれば、物品の取出性を高めつつ、物品の脱落を抑制することができる。
【００４２】
そのほか、パッケージ１によれば、物品がフィルム４に覆われている場合に、使用者がフィルム４に覆われた物品を開口２ａから引き出すことなく、パッケージ１の幅方向に沿って切れ込み４ａからフィルム４を容易に開封することができる。言い換えると、フィルム４に覆われた物品の全体が本体部２に収容された状態のままであっても、パッケージ１の幅方向に沿ってフィルム４を開封しやすくすることができる。
【００４３】
（２）罫線５が天面１１の一つの角部１１ｃから斜設され、蓋部３が、罫線５を斜辺とする直角三角形状の天蓋部３１と、天蓋部３１と連接された側蓋部３３とを有する。このため、開状態のパッケージ１では、上面視で（天面１１側から見て）直角三角形状の開口２ａが形成される。すなわち、パッケージ１によれば、開状態である場合に、上面視で天蓋部３１の直角三角形状に対応した形状の開口２ａを形成することができる。したがって、使用者は、開口２ａを通じてパッケージ１の幅方向の全域から物品を取り出すことができる。
【００４４】
また、開状態では、天蓋部３１がなす天面１１の一部に加えて、側蓋部３３がなす側面１３の一部も開放される。このため、開口２ａをより大きくすることが容易となるとともに、使用者は、パッケージ１の長さ方向の一側だけでなく、幅方向の外側（図１中の手前側，第一長側面１３ａ側）からも物品を容易に取り出すことができる。よって、物品の取出性をより高めることができる。
【００４５】
また、天蓋部３１が前述した直角三角形状とされるため、幅方向の一側（図１中の奥側，第二長側面１３ｂ側）では、長さ方向の全域にわたって本体部２の側部２３が配置される。このため、開状態であっても、第二長側面１３ｂ側では長さ方向の全域にわたって物品の脱落を防止することができる。よって、物品の脱落を更に抑制することができる。
【００４６】
また、罫線５が天面１１に設けられるため、開状態において底面１２の面積を確保することができる。言い換えると、パッケージ１は、底面１２が折り曲げられることなく開状態に切り替わることができる。このため、開状態において、底面１２で物品を支持しやすくすることができる。
【００４７】
（３）蓋部３が、天蓋部３１よりも小さい直角三角形状であって天蓋部３１の直角の角部３１ｃと対向する角部３２ｃを含む底蓋部３２を有するため、使用者が蓋部３を回動させる場合に天蓋部３１及び底蓋部３２を上下から挟持することができる。すなわち、天蓋部３１と対向する底蓋部３２を蓋部３に設けることで、使用者が蓋部３をより安定して保持することが可能となる。これにより、蓋部３を本体部２に対して回動させる作業がより容易となるため、パッケージ１の開閉性を向上させることができる。
【００４８】
（４）閉状態において、底蓋部３２が本体部２の底部２２から延長されたラップ部２５の外側に重なって配置されるため、本体部２に対する蓋部３の回動を規制することができる。すなわち、閉状態である場合に蓋部３が罫線５を軸にして上方へ回動しようとすると、底蓋部３２がラップ部２５に引っ掛かることから、蓋部３の開動作を制限することができる。よって、パッケージ１の封緘性を高めることができる。
【００４９】
また、パッケージ１が開状態から閉状態に切り替えられる場合には、底蓋部３２がラップ部２５の内側から外側へ移動させられる。このとき、側蓋部３３とラップ部２５とが接触する（互いに打ち合う）ことで生じる音により、パッケージ１が閉状態に切り替わったことを使用者に知らせることができる。
【００５０】
（５）本体部２が、閉状態で側蓋部３３と重なるとともに開状態で開口２ａの一部を閉鎖する壁部２４を有するため、開状態において、上面視での開口２ａの面積を確保しつつ、壁部２４により側面視での（本実施形態では第二側蓋部３３ｂ側から見た）開口２ａの面積は縮小させることができる。よって、物品の取出性を高めつつ、物品の脱落をより抑えることができる。
【００５１】
（６）図２に示すように、側面１３を構成する四つの平面には、その全体が第一側蓋部３３ａで構成される第一短側面１３ｃと、その一部が第二側蓋部３３ｂで構成される第一長側面１３ａとが含まれ、壁部２４が第一長側面１３ａに沿って立設されている。このため、図１に示すように、開状態では、第一短側面１３ｃに対応する領域の全てを開放することができるとともに、第一長側面１３ａに対応する領域の一部は壁部２４で閉鎖することができる。よって、第一短側面１３ｃ側からの物品の取出性を確保しつつ、第一長側面１３ａ側からの物品の脱落を抑制することができる。言い換えると、本実施形態では、長さ方向に沿って開口２ａから物品を引き出すことは容易としつつも、壁部２４により幅方向に沿う物品の移動は抑制することができる。
【００５２】
（７）図１に示すように、壁部２４の上端辺２４ａが下端辺２４ｂよりも短く形成されているため、開状態において開口２ａを下側よりも上側で大きくすることができる。よって、上方からの物品の取出性を確保しつつ、壁部２４により物品の脱落をより抑えることができる。
【００５３】
（８）シート材１０はパッケージ１に組立可能であるため、シート材１０によってもパッケージ１と同様の作用，効果を得ることができる。また、図４に示すように、シート材１０では、本体片６と蓋片７とが罫線５を介して連接されているため、本体片６と蓋片７とを繋げる作業をすることなく、シート材１０をパッケージ１に組み立てることができる。よって、パッケージ１の生産性を向上させることができる。
【００５４】
（９）シート材１０では、各側蓋片７３ａ，７３ｂが天蓋片７１と連接されているとともに、外底蓋片７２ａが第二側蓋片７３ｂと連接され、内底蓋片７２ｂが第一側蓋片７３ａと連接されている。このため、各側蓋片７３ａ，７３ｂと天蓋片７１とを繋げる作業や、底蓋片７２ａ，７２ｂを側蓋片７３ａ，７３ｂと繋げる作業をすることなく、シート材１０をパッケージ１に組み立てることができる。このように、パッケージ１において互いに連接される部位どうしをシート材１０においても互いに連接させることで、パッケージ１を一枚のシート材１０から形成することができる。よって、パッケージ１の生産性をより向上させることができる。
【００５５】
シート材１０には、外短側片６３ｄの内側に貼合される第一折込片６６及び第二折込片６７と、第一側蓋片７３ａの内側に貼合される内側蓋片７４及び第三折込片７５と、内側蓋片７４の内側に貼合される第四折込片７６とが設けられる。これらの折込片６６，６７，７５，７６及び内側蓋片７４により、パッケージ１で隣接する平面どうしの間の隙間が封鎖されることから、パッケージ１の密閉性を向上させることができる。
【００５６】
シート材１０では、第二側蓋片７３ｂと外長側片６３ｂとが第三切離線１６を介して連接されているため、未開封状態（第三切離線１６が切断される前）のパッケージ１において、第二側蓋部３３ｂと側部２３との間の隙間をなくすことができる。これによっても、パッケージ１の密閉性を向上させることができる。
【００５７】
一方で、シート材１０では、本体片６と蓋片７とが連接される箇所のうち、罫線５以外の箇所には切離線１４〜１６が設けられている。これらの切離線１４〜１６により、未開封状態のパッケージ１を開封する場合に、側蓋部３３をより簡単かつ適切に本体部２から分離させることができる。このため、パッケージ１の開封作業性を向上させることができる。
【００５８】
［３．変形例］
前述した本体部２及び蓋部３の各構成は一例である。本体部２は壁部２４やラップ部２５が省略されてもよいし、蓋部３は底蓋部３２や側蓋部３３が省略されてもよい。また、前述した天蓋部３１，底蓋部３２及び側蓋部３３の各形状も一例である。天蓋部３１は、二等辺三角形状とされてもよいし、第二辺３１ｂが第一辺３１ａよりも長く形成されてもよい。同様に、底蓋部３２は、二辺３２ａ，３２ｂの長さが互いに異なる直角三角形状とされてもよい。また、第二側蓋部３３ｂは、閉状態において側部２３に隣接する端辺が上下方向に対して傾斜する形状とされてもよい。
【００５９】
なお、罫線５は、幅方向に対して傾斜していればよく、天面１１における一つの角部１１ｃから延びていなくてもよい。また、パッケージ１が閉状態でなす直方体は、長さ方向よりも幅方向に長い形状であってもよいし、長さ方向及び幅方向の各寸法が等しい形状であってもよい。
【００６０】
パッケージ１及びシート材１０は、シート状の部材で構成されればよく、その材料は紙に限定されない。また、パッケージ１及びシート材１０は、複数枚のシート状の部材から構成されてもよい。なお、パッケージ１で包装される物品の種類は特に限定されず、物品がフィルム４で覆われていなくてもよい。
【符号の説明】
【００６１】
１  パッケージ
２  本体部
２ａ  開口
３  蓋部
５  罫線
６  本体片
７  蓋片
１０  シート材
１１  天面
１１ｃ  角部
１２  底面
１３  側面
１３ａ  第一長側面（半開面）
１３ｂ  第二長側面
１３ｃ  第一短側面（全開面）
１３ｄ  第二短側面
２２  底部
２４  壁部
２４ａ  上端辺（天面１１側の端辺）
２４ｂ  下端辺（底面１２側の端辺）
２４ｃ  開口端辺
２５  ラップ部
３１  天蓋部
３１ｃ  直角の角部
３２  底蓋部
３２ｃ  角部
３３  側蓋部
【図１】
2019156418.tif 000003
【図２】
2019156418.tif 000004
【図３】
2019156418.tif 000005
【図４】
2019156418.tif 000006